(57)【特許請求の範囲】
【請求項１】
スケジュールを作成するためのサービスを提供するサーバーコンピュータと前記サービスの提供を受けるユーザーコンピュータとを電子通信回線網を介して接続したスケジュール作成システムにおいて、
サーバーコンピュータは、ユーザーコンピュータに、
順序変動可能なスケジュール要素を示すための可変要素用アイコンを可変要素用アイコン表示領域に複数種類に分類分けして複数個表示させ、順序変動不要なスケジュール要素を示すための固定要素用アイコンを固定要素用アイコン表示領域に複数個表示させ、順序変動可能なスケジュールを示すための可変スケジュール領域と順序変動不要なスケジュールを示すための固定スケジュール領域とを表示させ、
ユーザーコンピュータで前記複数個の可変要素用アイコンから選択した可変要素用アイコンを前記可変スケジュール領域に移動可能とするとともに、前記複数個の固定要素用アイコンから選択した固定要素用アイコンを前記固定スケジュール領域に移動可能とし、
ユーザーコンピュータが前記可変要素用アイコンを前記可変スケジュール領域に移動させた場合に、移動位置に応じて順序を変えながら可変要素用アイコンを可変スケジュール領域に並べて表示させ、
ユーザーコンピュータが前記固定要素用アイコンを前記固定スケジュール領域に移動させた場合に、固定要素用アイコンを固定スケジュール領域に表示させ、
前記可変要素用アイコンが示すスケジュール要素を可変要素用アイコンの並んだ順序で記憶するとともに、前記固定要素用アイコンが示すスケジュール要素を記憶し、
ユーザーコンピュータからの要求により、前記可変要素用アイコンを順序通りに表示するとともに、前記固定要素用アイコンを表示することを特徴とするスケジュール作成システム。
【請求項２】
前記サーバーコンピュータは、前記可変要素用アイコンを前記固定スケジュール領域に移動できないようにするとともに、前記固定要素用アイコンを前記可変スケジュール領域に移動できないようにすることを特徴とする請求項１に記載のスケジュール作成システム。
【発明の詳細な説明】
【技術分野】
【０００１】
本発明は、スケジュールを作成するためのサービスを提供するサーバーコンピュータと前記サービスの提供を受けるユーザーコンピュータとを電子通信回線網を介して接続したスケジュール作成システムに関するものである。
【背景技術】
【０００２】
近年、インターネットに代表される電子通信回線網の普及によって、コンピュータ上で旅行や仕事などのスケジュールを作成し、管理するスケジュール作成システムが利用されるようになっている（たとえば、特許文献１参照。）。
【０００３】
このスケジュール作成システムでは、利用者が自らスケジュールの要素となる場所や名称を順番に並べてサービス提供者のコンピュータ（サーバーコンピュータ）に通知し、サーバーコンピュータが通知された順番でスケジュールを作成し管理するようにしている。
【０００４】
そのため、利用者は、利用者のコンピュータ（ユーザーコンピュータ）を用いてスケジュールの要素となる場所や名称の管理者のコンピュータ（クライアントコンピュータ）のサイトを検索するとともに、検索した複数の要素からいくつかを選択し、順序を決め、その後、スケジュール作成システムを用いてスケジュールの作成を行う必要があった。
【先行技術文献】
【特許文献】
【０００５】
【特許文献１】特開２００２−１９７１５０号公報
【発明の概要】
【発明が解決しようとする課題】
【０００６】
ところが、上記従来のスケジュール作成システムでは、利用者がユーザーコンピュータを用いてクライアントコンピュータにアクセスしてスケジュールの要素を選択し順番を決める作業と、利用者がユーザーコンピュータを用いてサーバーコンピュータにアクセスしてスケジュールの作成を行う作業とがそれぞれ必要となり、スケジュール作成システムの使用感が良好なものではなかった。
【課題を解決するための手段】
【０００７】
そこで、本発明では、スケジュールを作成するためのサービスを提供するサーバーコンピュータと前記サービスの提供を受けるユーザーコンピュータとを電子通信回線網を介して接続したスケジュール作成システムにおいて、サーバーコンピュータは、ユーザーコンピュータに、順序変動可能なスケジュール要素を示すための可変要素用アイコンを可変要素用アイコン表示領域に複数種類に分類分けして複数個表示させ、順序変動不要なスケジュール要素を示すための固定要素用アイコンを固定要素用アイコン表示領域に複数個表示させ、順序変動可能なスケジュールを示すための可変スケジュール領域と順序変動不要なスケジュールを示すための固定スケジュール領域とを表示させ、ユーザーコンピュータで前記複数個の可変要素用アイコンから選択した可変要素用アイコンを前記可変スケジュール領域に移動可能とするとともに、前記複数個の固定要素用アイコンから選択した固定要素用アイコンを前記固定スケジュール領域に移動可能とし、ユーザーコンピュータが前記可変要素用アイコンを前記可変スケジュール領域に移動させた場合に、移動位置に応じて順序を変えながら可変要素用アイコンを可変スケジュール領域に並べて表示させ、ユーザーコンピュータが前記固定要素用アイコンを前記固定スケジュール領域に移動させた場合に、固定要素用アイコンを固定スケジュール領域に表示させ、前記可変要素用アイコンが示すスケジュール要素を可変要素用アイコンの並んだ順序で記憶するとともに、前記固定要素用アイコンが示すスケジュール要素を記憶し、ユーザーコンピュータからの要求により、前記可変要素用アイコンを順序通りに表示するとともに、前記固定要素用アイコンを表示することにした。
【０００８】
また、本発明では、前記サーバーコンピュータは、前記可変要素用アイコンを前記固定スケジュール領域に移動できないようにするとともに、前記固定要素用アイコンを前記可変スケジュール領域に移動できないようにすることにした。 
【発明の効果】
【０００９】
そして、本発明では、以下に記載する効果を奏する。
【００１０】
すなわち、本発明では、利用者がユーザーコンピュータを用いてサーバーコンピュータにアクセスするだけで、スケジュールの選択及び作成を同時に、しかも、視覚的にわかりやすく行うことができるので、スケジュール作成システムの使用感を向上させることができる。
【００１１】
特に、スケジュールを作成する際に順序変動可能なスケジュール要素と順序変動不要なスケジュール要素とに分けることで、スケジュールに不足が発生してしまうのを未然に防止することができる。
【図面の簡単な説明】
【００１２】
【図１】本発明に係るスケジュール作成システムのハードウェア構成を示す説明図。
【図２】スケジュール作成画面を示す説明図。
【図３】スケジュールの作成操作を示す説明図。
【図４】スケジュールの作成操作を示す説明図。
【図５】スケジュールの作成操作を示す説明図。
【図６】スケジュールの作成操作を示す説明図。
【図７】スケジュールの作成操作を示す説明図。
【図８】スケジュールの作成操作を示す説明図。
【図９】スケジュールの作成操作を示す説明図。
【発明を実施するための形態】
【００１３】
以下に、本発明に係るスケジュール作成システムの具体的な構成について図面を参照しながら説明する。なお、以下の説明では、旅行のスケジュールを作成する場合を例に挙げて説明するが、本発明は旅行に限られず仕事の遂行順序や食事メニューの提供順序等の各種のスケジュールの作成に適用することができる。
【００１４】
図１に示すように、スケジュールを作成するためのサービスを提供するサービス提供者のコンピュータ（サーバーコンピュータ１）と、サービス提供者から提供されるサービスを利用する利用者のコンピュータ（ユーザーコンピュータ２）と、スケジュールを作成する際にその要素となる施設や店舗のコンピュータ（クライアントコンピュータ３）とが、インターネットに代表される電子通信回線網４を介して相互に通信可能に接続されている。なお、ユーザーコンピュータ２には、携帯電話機やＰＤＡなどの携帯端末装置も含まれ、一人の利用者が複数の端末を利用する場合も含まれる。
【００１５】
そして、サーバーコンピュータ１は、ユーザーコンピュータ２からアクセスされた場合に、コンピュータ読み取り可能な記録媒体に記録したプログラムに従って、以下に説明するスケジュール作成サービスを提供する。
【００１６】
まず、サーバーコンピュータ１は、ユーザーコンピュータ２に図２に示すスケジュール作成画面５を表示させる（画面表示ステップ）。
【００１７】
このスケジュール作成画面５には、図２に示すように、順序変動可能なスケジュールを示すための可変スケジュール領域６と、順序変動不要なスケジュールを示すための固定スケジュール領域７とが含まれている。なお、可変スケジュール領域６は、たとえば１日目の可変スケジュール領域6aと２日目の可変スケジュール領域6bのように複数に分割してもよく、また、固定スケジュール領域７も、たとえば１日目の固定スケジュール領域7aと２日目の固定スケジュール領域7bのように複数に分割してもよい。
【００１８】
ここで、順序変動可能なスケジュールとは、観光や買物や食事などの利用者の嗜好に応じて順序が変動するスケジュール要素を時系列に並べたスケジュールを指し、一方、順序変動不要なスケジュールとは、宿泊などの必ず必要となる或いは時間が固定されたスケジュール要素からなるスケジュールを指している。たとえば、仕事の遂行順序のスケジュールの場合には、順序変動可能なスケジュールとして設計や資料調査などのスケジュール要素を時系列に並べたものが該当し、順序変動不要なスケジュールとして会議や休憩などのスケジュール要素からなるものが該当する。また、食事のメニューの提供順序のスケジュールの場合には、順序変動可能なスケジュールとして各種の食物などのスケジュール要素を時系列に並べたものが該当し、順序変動不要なスケジュールとして飲み放題などのスケジュール要素からなるものが該当する。
【００１９】
また、スケジュール作成画面５には、順序変動可能なスケジュール要素を示すための可変要素用アイコン８を複数種類（ここでは、観光、買物、食事の３種類）に分類分けして複数個（ここでは、８個）表示させる可変要素用アイコン表示領域9〜11と、順序変動不要なスケジュール要素を示すための固定要素用アイコン12（ここでは、宿泊の１種類）を複数個（ここでは、８個）表示させる固定要素用アイコン表示領域13とが含まれている。
【００２０】
さらに、スケジュール作成画面５には、作成したスケジュールを印刷するための印刷ボタン14やスケジュール要素の位置を地図上に表示するための地図ボタン15や作成したスケジュールを後で容易にアクセス可能とするＵＲＬを三次元バーコードで表示するための三次元バーコード表示領域16などの付加サービスも含まれている。
【００２１】
そして、サーバーコンピュータ１は、図３に示すように、利用者がユーザーコンピュータ２を用いて可変要素用アイコン８や固定要素用アイコン12にカーソル17を移動させると、その可変要素用アイコン８又は固定要素用アイコン12が示すスケジュール要素に関する情報18（場所や名称やＵＲＬなど）をユーザーコンピュータ２に表示させ、利用者がスケジュール要素を選択する際の便宜を図るとともに、スケジュール要素の施設や店舗のＵＲＬをクリックすることでユーザーコンピュータ２から施設や店舗のクライアントコンピュータ３にアクセスしてそのホームページ等を閲覧できるようにしている。
【００２２】
また、サーバーコンピュータ１は、図４に示すように、利用者がユーザーコンピュータ２を用いて複数の可変要素用アイコン８から選択した１個の可変要素用アイコン８にカーソル17を移動させるとともにドラッグすることでその可変要素用アイコン８を可変スケジュール領域６に移動させることができるようにしている。なお、サーバーコンピュータ１は、可変要素用アイコン８を固定スケジュール領域７には移動できないようにしている。
【００２３】
そして、サーバーコンピュータ１は、利用者がユーザーコンピュータ２を用いて可変要素用アイコン８を可変スケジュール領域６にドラッグ操作で移動させた場合に、図５に示すように、その可変要素用アイコン８を可変スケジュール領域６の所定位置に配置して表示するようにしている。
【００２４】
さらに、サーバーコンピュータ１は、図６に示すように、利用者がユーザーコンピュータ２を用いて上記ドラッグ操作による移動を繰返し行って複数の可変要素用アイコン８を順番に配置した後に、さらに可変要素用アイコン８を順番に配置された可変要素用アイコン８の間にドラッグ操作で移動させた場合には、図７に示すように、可変要素用アイコン８の移動位置に応じて順序を変えながら可変要素用アイコン８を可変スケジュール領域６の所定位置に配置して表示するようにしている。
【００２５】
サーバーコンピュータ１は、図８に示すように、利用者がユーザーコンピュータ２を用いて複数の固定要素用アイコン12から選択した１個の固定要素用アイコン12にカーソル17を移動させるとともにドラッグした場合も同様にその固定要素用アイコン12を固定スケジュール領域７に移動させることができるようにし、その固定要素用アイコン12を固定スケジュール領域７の所定位置に配置して表示するようにしている。なお、サーバーコンピュータ１は、固定要素用アイコン12を可変スケジュール領域６には移動できないようにしている。
【００２６】
このようにして、サーバーコンピュータ１は、利用者がユーザーコンピュータ２を用いて可変要素用アイコン８や固定要素用アイコン12をドラッグ操作により可変スケジュール領域６や固定スケジュール領域７に移動させることで、図９に示すように、スケジュール作成画面５でスケジュールを作成するようにしている。
【００２７】
そして、サーバーコンピュータ１は、上記操作によってスケジュール作成画面５で作成されたスケジュールについて、可変要素用アイコン８が示すスケジュール要素を可変要素用アイコン８の並んだ順序で記録媒体に記憶するとともに、固定要素用アイコン12が示すスケジュール要素を記録媒体に記憶しておく。
【００２８】
また、サーバーコンピュータ１は、ユーザーコンピュータ２から要求があった場合には、ユーザーコンピュータ２にスケジュール作成画面５を用いて可変要素用アイコン８を順序通りに表示するとともに、固定要素用アイコン12を表示するようにしている。
【００２９】
スケジュール作成システムは、以上に説明したようにしてスケジュールを作成し管理することができ、利用者がユーザーコンピュータ２を用いてサーバーコンピュータ１にアクセスするだけで、スケジュールの選択及び作成を同時に、しかも、視覚的にわかりやすく行うことができるので、スケジュール作成システムの使用感を向上させることができる。
【００３０】
しかも、上記スケジュール作成システムでは、スケジュールを作成する際に順序変動可能なスケジュール要素と順序変動不要なスケジュール要素とに分けることで、スケジュールに不足が発生してしまうのを未然に防止することができる。
【符号の説明】
【００３１】
１  サーバーコンピュータ              ２  ユーザーコンピュータ
３  クライアントコンピュータ          ４  電子通信回線網
５  スケジュール作成画面              6,6a,6b  可変スケジュール領域
7,7a,7b  固定スケジュール領域         ８  可変要素用アイコン
9〜11  可変要素用アイコン表示領域    
12  固定要素用アイコン
13  固定要素用アイコン表示領域        14  印刷ボタン
15  地図ボタン                        16  三次元バーコード表示領域
17  カーソル                          18  情報
【図１】
0005419096.tif 000002
【図２】
0005419096.tif 000003
【図３】
0005419096.tif 000004
【図４】
0005419096.tif 000005
【図５】
0005419096.tif 000006
【図６】
0005419096.tif 000007
【図７】
0005419096.tif 000008
【図８】
0005419096.tif 000009
【図９】
0005419096.tif 000010